(57)【要約】【課題】排水トラップの封水切れを抑制すると共に封水切れに伴う音鳴りを発生し難くする。【解決手段】浴槽パン排水経路８の途中に封水を溜める浴槽パントラップ部４を設け、浴槽パン排水経路８の入側を浴槽パン排水部３０を介して大気に開放し、出側を洗い場パン排水トラップ６及び浴槽排水トラップ２のそれぞれの封水の上限水位よりも上方位置で、各排水トラップ２,６から排出される排水が流れるトラップ本体経路に合流させたトラップ装置２２である。【選択図】図１
2012112126.tif 000002
【特許請求の範囲】
【請求項１】
洗い場パンからの排水が流れる洗い場パン排水トラップと、浴槽からの排水が流れる浴槽排水トラップと、各排水トラップから排出される排水が流れるトラップ本体経路とを備えると共に、浴槽を設置する浴槽パンからの排水が流れる浴槽パン排水経路を前記トラップ本体経路に合流させて、この合流部から共通の排水管で排出するようにしたトラップ装置であって、前記浴槽パン排水経路の途中に封水を溜める浴槽パントラップ部を設け、前記浴槽パン排水経路の入側を浴槽パン排水部を介して大気に開放し、出側を前記洗い場パン排水トラップ及び前記浴槽排水トラップのそれぞれの封水の上限水位よりも上方位置で前記トラップ本体経路に合流させてなることを特徴とするトラップ装置。
【請求項２】
前記浴槽パン排水経路の断面径寸法を前記トラップ本体経路の断面径寸法よりも小さく形成したことを特徴とする請求項１記載のトラップ装置。
【請求項３】
前記浴槽パン排水経路の経路断面を、浴槽パン排水経路の全長に亘って略均一に形成したことを特徴とする請求項１又は請求項２記載のトラップ装置。
【発明の詳細な説明】
【技術分野】
【０００１】
本発明は、トラップ装置に関し、詳しくは排水トラップの封水切れによる騒音発生を未然に防止するための技術に関するものである。
【背景技術】
【０００２】
従来から、洗い場パンからの排水が流れる洗い場パン排水トラップと、浴槽からの排水が流れる浴槽排水トラップと、浴槽を設置する浴槽パンからの排水が流れる浴槽パン排水トラップとを備える。浴槽排水トラップからの排水が流れる第１排水路と、浴槽パン排水トラップからの排水が流れる第２排水路と、洗い場パン排水トラップから排出される排水が流れる第３排水路とを合流部で合流させて共通の排水管で排水するトラップ装置が知られている（例えば、特許文献１参照）。
【０００３】
ところが上記特許文献１に示された従来例では、浴槽内の大量の水を排水する場合或いは洗い場パン上の大量の水を排水する場合には、合流部に大きな負圧が発生して、排水が行なわれない排水トラップに溜められている封水が合流部側に強く引き込まれて封水切れを起こす。この場合、封水切れ状態で空気が吸い込まれる際に不快な「ゴボゴボ音」が発生するという問題があった。
【０００４】
そこで、他の従来例として、合流部を大気に開放させる空気吸入管を加え、空気吸入管の途中に、封水を溜めるトラップ部と、トラップ部と合流部との間に流出口が流入口よりも上方に配置された水溜め部を介在させ、空気吸入管の吸気口を浴槽パン排水部又は洗い場パンのいずれかに開口させる。この吸気口を洗い場パン排水トラップの封水が切れる下限水位よりも高い位置で且つ浴槽パン排水部又は洗い場パンのいずれかの封水の上限水位よりも低い位置に配置したトラップ装置が知られている（例えば、特許文献２参照）。
【０００５】
この特許文献２に示された従来例では、浴槽排水時に合流部に負圧が発生したときに空気吸入管内に引き込み力が作用する。このとき、空気吸入管内の封水はトラップ部から水溜め部内に移動して一時溜められた状態で、合流部に空気が吸引されることで負圧が低下して、洗い場パン排水トラップの封水切れや不快な「ゴボゴボ音」の発生を防ぐ構造である。
【０００６】
しかしこの従来例では、浴槽排水トラップ、洗い場パン排水トラップ、浴槽パン排水トラップに加えて、空気吸入管を設ける必要がある。しかも空気吸入管を封水構造とするために吸入管内部に水溜め部を設ける必要がある。このため、トラップ装置の構造が複雑となり、製品強度が不足しやすいといった問題がある。
【先行技術文献】
【特許文献】
【０００７】
【特許文献１】特開２００５−２８２１２３号公報
【特許文献２】特開２００８−２４０３７０号公報
【発明の概要】
【発明が解決しようとする課題】
【０００８】
本発明は上記の従来の問題点に鑑みて発明したものであって、排水トラップの封水切れを抑制できると共に音鳴りを発生し難くできるトラップ装置を提供することを課題とするものである。
【課題を解決するための手段】
【０００９】
前記の課題を解決するために、本発明は、洗い場パンからの排水が流れる洗い場パン排水トラップと、浴槽からの排水が流れる浴槽排水トラップと、各排水トラップから排出される排水が流れるトラップ本体経路とを備えると共に、浴槽を設置する浴槽パンからの排水が流れる浴槽パン排水経路を前記トラップ本体経路に合流させて、この合流部から共通の排水管で排出するようにしたトラップ装置であって、前記浴槽パン排水経路の途中に封水を溜める浴槽パントラップ部を設け、前記浴槽パン排水経路の入側を浴槽パン排水部を介して大気に開放し、出側を前記洗い場パン排水トラップ及び前記浴槽排水トラップのそれぞれの封水の上限水位よりも上方位置で前記トラップ本体経路に合流させてなることを特徴としている。
【００１０】
また、前記浴槽パン排水経路の断面径寸法を前記トラップ本体経路の断面径寸法よりも小さく形成するのが好ましい。
【００１１】
また、前記浴槽パン排水経路の経路断面を、浴槽パン排水経路の全長に亘って略均一に形成するのが好ましい。
【発明の効果】
【００１２】
本発明は、排水トラップの封水切れを抑制できると共に音鳴りを発生し難くできるものである。
【図面の簡単な説明】
【００１３】
【図１】本発明の一実施形態のトラップ装置を用いた浴室の排水構造を説明する概略構成図である。
【図２】同上のトラップ装置の斜視図である。
【図３】同上のトラップ装置の平面図である。
【図４】同上のトラップ装置の側面断面図である。
【図５】（ａ）〜（ｅ）は同上の浴槽側トラップ本体部のエルボの平面図、正面図、背面図、左側面図、右側面図である。
【図６】（ａ）〜（ｄ）は同上の洗い場側トラップ本体部の平面図、正面図、左側面図、右側面図である。
【図７】同上の浴槽側トラップ本体部の上面外周部を覆う流路閉止部材を下面から見た斜視図である。
【図８】（ａ）〜（ｃ）は同上の浴槽水排水開始時の説明図である。
【図９】（ａ）〜（ｃ）は同上の浴槽水排水途中の説明図である。
【図１０】（ａ）〜（ｃ）は同上の浴槽水排水終了後の説明図である。
【図１１】（ａ）〜（ｃ）は同上の洗い場排水開始時の説明図である。
【図１２】（ａ）〜（ｃ）は同上の洗い場排水途中の説明図である。
【図１３】（ａ）〜（ｃ）は同上の洗い場排水終了後の説明図である。
【発明を実施するための形態】
【００１４】
以下、本発明の実施の形態について、図面を参照しながら説明する。
【００１５】
浴室を構成する浴室ユニットＡは、図１に示すように、浴槽１を設置する浴槽パン３と、洗い場パン５とで構成される床パンの周囲に、図示省略した壁パネル及びドアを有する出入り口枠をそれぞれ立設する。壁パネル及び出入り口枠で囲まれた部分の上端部に天井パネルを配設して構成してある。
【００１６】
上記浴室ユニットＡからの排水は、浴槽１からの湯水の排水、浴槽１を設置する浴槽パン３からの湯水の排水、洗い場パン５からの湯水の排水の３種類の排水がある。本例のトラップ装置２２は、浴槽１からの排水が流れる浴槽排水トラップ２と、浴槽１を設置する浴槽パン３からの排水が流れる浴槽パン排水経路８と、洗い場パン５からの排水が流れる洗い場パン排水トラップ６とを備えている。
【００１７】
図１中のＬは、浴槽排水トラップ２、浴槽パン排水経路８に設けられる浴槽パントラップ部４、洗い場パン排水トラップ６のそれぞれの封水の上限水位である。なお図１、図９〜図１４では、図面の理解を容易にするために浴槽排水トラップ２と浴槽パントラップ部４の高さを異ならせている。
【００１８】
トラップ装置２２は、図２〜図４に示すように、浴槽パン３側に固定される浴槽側トラップ本体部２３と、洗い場パン５側に固定される洗い場側トラップ本体部１６とを備えている。なお図３中の５１はヘアキャッチャーである。
【００１９】
浴槽側トラップ本体部２３は、浴槽排水トラップ２の主体となるもので、上方に開口した有底筒状をしている。浴槽側トラップ本体部２３の側壁には、第１排水筒部２７と、第２排水筒部２８とが横方向から接続されている。
【００２０】
浴槽側トラップ本体部２３に設けられるエルボ１１には、図５に示すように、第２排水筒部２８に連通する第２排水口部３１が設けられる。エルボ１１内に挿入されて流路を仕切るエルボカバー１３（図２、図４）には、第１排水筒部２７に連通する排水穴５０が設けられている。
【００２１】
浴槽排水口２４からの排水は、排水穴５０を介して第１排水筒部２７内に溜められて浴槽排水トラップ２が構成される。
【００２２】
浴槽パン排水部３０からの排水は、第２排水口部３１を介して第２排水筒部２８内に溜められる。
【００２３】
一方、洗い場側トラップ本体部１６は、図２〜図４に示すように、上方に開口した有底筒状をしており、内部には洗い場パン排水トラップ６を構成する封水筒１７が嵌め込まれている。
【００２４】
図６に示すように、洗い場側トラップ本体部１６の上部外周部の片側半分に沿って前記第１排水筒部２７に接続される第１排水路７が形成され、他の片側半分に沿って後述する浴槽パン排水経路８が形成されている。
【００２５】
さらに洗い場側トラップ本体部１６の上部には、洗い場パン排水トラップ６内の排水を排出する第２排水路９が形成されている。この第２排水路９と上記第１排水路７とがトラップ本体経路を構成している。そして、第２排水路９の出口部１４は第１排水路７の出口部１２と一箇所に集まって筒状をした合流部３６に連通していると共に、この合流部３６に共通の排水管（図示せず）が接続されている。なお本例では２つの出口部１２、１４から合流部３６への排出方向（矢印Ｘ,Ｙで示す方向）がほぼ平行となっている。
【００２６】
浴槽パン排水経路８の途中には、封水を溜める浴槽パントラップ部４が設けられている。浴槽パントラップ部４の出側は合流部３６に連通する排水路１３となっている。ここでは、浴槽パントラップ部４と排水路１３とが、１本の連続した通気管で構成されている。図６（ｄ）に示すように、浴槽パントラップ部４の入側（図６（ｄ）の右側）は洗い場側トラップ本体部１６の下部外周部に沿って水平に延びて、上記第２排水筒部２８の下部に連通している。浴槽パントラップ部４の出側（図６（ｄ）の左側）は、洗い場側トラップ本体部１６の下部から上部側に向けて上り傾斜して、その先端が水平な排水路１３に連通している。
【００２７】
本例の浴槽パン排水経路８を構成する通気管の断面径寸法は、トラップ本体経路の断面径寸法よりも小さく形成されている。さらに、通気管の経路断面を浴槽パン排水経路８の全長に亘って均一化されている。排水路１３の先端は、合流部３６の天井面に開放された吐出管２６（図１）に連通している。この吐出管２６の開放面は、洗い場パン排水トラップ６及び浴槽排水トラップ２のそれぞれの封水の上限水位Ｌ（図１）よりも上方に位置している。これにより、浴槽排水や洗い場排水が、浴槽パン排水経路８内に逆流しない構造となっている。
【００２８】
図７は、浴槽側トラップ本体部２３の上面外周部を覆う流路閉止部材３７を示している。流路閉止部材３７は中央が開口した円環状に形成されており、第１排水路７を上から覆うカバー部７ａと、浴槽パン排水経路８を上から覆うカバー部８ａとを備えている。本例では第１排水路７を覆うカバー部７ａの内面から４個のリブ３８〜４０が突設されている。第１、第２のリブ３８は第１排水路７内に流れる排水の勢いを制限するためのものであり、必ずしも２個に限らず１個でもよい。第３のリブ３９は第１排水路７の出口部１２（図７）の真上に位置して、該出口部１２を狭めて排水流量を制限するためのものである。第４のリブ４０は第１排水路７内の排水が隣接する第２排水路９内に流れ込まないようにするためのものであり、第１〜第３のリブ３８、３９よりも下方へ大きく突出している。
【００２９】
次に浴槽排水動作を説明する。
【００３０】
浴槽排水前は、図８（ａ）のように、浴槽排水トラップ２、浴槽パントラップ部４、洗い場パン排水トラップ６は、それぞれ、封水により水密的に封止されている。浴槽排水を開始すると、図８（ｂ）→（ｃ）のように浴槽排水トラップ２から第１排水路７を経て合流部３６に大量の浴槽水が排水されて、合流部３６に大きな負圧が発生する。このとき、浴槽パントラップ部４内、洗い場パン排水トラップ６内の封水に対してそれぞれ引き込み力が作用する。ここで、浴槽パン排水経路８の断面径寸法をトラップ本体経路の断面径寸法よりも小さくすることで、浴槽パントラップ部４内の封水量を洗い場パン排水トラップ６の封水量よりも少なくしてある。これにより図９（ａ）のように、浴槽パントラップ部４の封水の方が早く合流部３６に引き込まれる。そして、浴槽パントラップ部４の封水全てが引き込まれた後は図９（ｂ）→（ｃ）のように、浴室内の空気が浴槽パン排水部３０から浴槽パン排水経路８（浴槽パントラップ部４、排水路１３、吐出管２６）内を通って合流部３６に吸い込まれる。これにより、浴槽排水中は合流部３６の負圧が低下し続けるようになり、洗い場パン排水トラップ６の封水切れが発生し難くなる。またこのとき、浴槽パン排水経路８の出側の吐出管２６を合流部３６の天井に開放しているので、多量の浴槽排水が浴槽パン排水経路８内に逆流することがない。この結果、洗い場パン排水トラップ６の封水切れを抑制できると共に、不快な音鳴りも発生し難くなる。
【００３１】
その後、浴槽排水が完了すると、合流部３６が正圧状態に戻ることにより浴槽パン排水経路８からの空気吸引が終了する。その後、図１０（ａ）→（ｂ）のように、浴槽パン３上に排水が溜まると、この溜まった排水が浴槽パン排水部３０から浴槽パントラップ部４内に流れ込んで再び封水を形成する（図１０（ｃ））。これにより、浴槽パン排水経路８の封水切れ状態が長期に亘って継続することはない。
【００３２】
一方、洗い場排水の場合を図１１〜図１３を参照して説明する。洗い場排水前は、図１１（ａ）のように、浴槽排水トラップ２、浴槽パントラップ部４、洗い場パン排水トラップ６は、それぞれ、封水により水密的に封止されている。洗い場排水が開始すると、図１１（ｂ）→（ｃ）のように洗い場パン排水トラップ６から第２排水路９を経て合流部３６に大量の洗い場水が排水されて、合流部３６に大きな負圧が発生する。これにより、浴槽パントラップ部４内、浴槽排水トラップ２内の封水に対してそれぞれ引き込み力が作用する。このとき、浴槽パン排水経路８の断面径寸法をトラップ本体経路の断面径寸法よりも小さくすることで、浴槽パントラップ部４内の封水量を洗い場パン排水トラップ６内の封水量よりも少なくしている。これにより、前述した浴槽排水の場合と同様に、図１２（ａ）のように、浴槽パン排水経路８内の封水の方が早く合流部３６に引き込まれる。その後、図１２（ｂ）→（ｃ）のように、浴室内の空気が浴槽パン排水経路８を通って合流部３６に引き込まれて、合流部３６の負圧が低下する。これにより浴槽排水トラップ２の封水切れが抑制されると共に、不快な音鳴りも発生し難くなる。
【００３３】
その後、洗い場排水が完了すると、合流部３６が正圧状態に戻ることにより浴槽パン排水経路８からの空気吸引が終了する。その後、図１３（ａ）→（ｂ）のように、浴槽パン３上に排水が溜まると、この溜まった排水が浴槽パン排水部３０から浴槽パントラップ部４内に流れ込んで封水が形成される（図１３（ｃ））。これにより、浴槽パン排水経路８の封水切れ状態が長期に亘って継続することがない。
【００３４】
しかして、上記構成によれば、浴槽パン排水経路８は、通常時は浴槽パントラップ部４の封水で水密的に封止できるものである。また、浴槽排水時（或いは洗い場パン排水時）には、浴槽パントラップ部４内の封水を合流部３６に排出する排水管として機能し且つ合流部３６を大気に開放する通気管として機能する。つまり、浴槽パン排水経路８は、浴槽パン排水機能と通気管機能とを１つの経路で担った構造となり、結果、トラップ装置２２の構造を簡略化でき、製品強度を確保しやすくなる。
【００３５】
また本例では、浴槽パン排水経路８の断面径寸法をトラップ本体経路よりも小さく形成しているので、浴槽パントラップ部４内の封水量が、浴槽排水トラップ２及び洗い場パン排水トラップ６のそれぞれの封水量よりも少なくなる。従って、浴槽パントラップ部４内の封水が合流部３６に吸引されやすくなると共に、封水の流速が速くなって排水能力が向上する。これにより、浴槽パン３内に汚れなどがあっても、この汚れの排出を容易にできる。そのうえ、断面径寸法の小さい浴槽パン排水経路８から合流部３６に空気が吸い込まれるときに空気の流速が早くなり、合流部３６の負圧低下をより迅速にできる利点もある。
【００３６】
ところで、浴槽パン排水経路８の経路断面が不均一の場合には乱流が発生して音鳴りの原因になりやすい。そこで本例では、浴槽パン排水経路８の経路断面を、浴槽パン排水経路８の全長に亘って略均一な通気管で構成している。従って、浴槽パン排水経路８内での排水の流れを円滑にして、乱流に伴う音鳴りを生じ難くさせることができる。
【符号の説明】
【００３７】
１  浴槽
２  浴槽排水トラップ
３  浴槽パン
４  浴槽パントラップ部
５  洗い場パン
６  洗い場パン排水トラップ
８  浴槽パン排水経路
３０  浴槽パン排水部
３６  合流部
Ｌ  排水トラップの上限水位
【図１】
2012112126.tif 000003
【図２】
2012112126.tif 000004
【図３】
2012112126.tif 000005
【図４】
2012112126.tif 000006
【図５】
2012112126.tif 000007
【図６】
2012112126.tif 000008
【図７】
2012112126.tif 000009
【図８】
2012112126.tif 000010
【図９】
2012112126.tif 000011
【図１０】
2012112126.tif 000012
【図１１】
2012112126.tif 000013
【図１２】
2012112126.tif 000014
【図１３】
2012112126.tif 000015